(57)【要約】【課題】木製又はそれと同程度の強度を有する材料を用いて形成することができる、軽量かつ頑丈な布団干しを提供する。また、金属やプラスチック製のふとん干しに比較して、干したふとんの間に空間を確保し、風通しの良いふとん干しを提供する。【解決手段】ふとんを干すために掛ける横枠を有するふとん干し部を、複数個、開閉可能に結合したふとん干しであって、ふとん干し部１５を、ふとんを干すために掛ける横枠１１と、横枠の下方にほぼ平行に配置される下枠１２と、横枠と下枠の一端部を結合する縦枠１３により、側面形状がほぼコの字型に形成するとともに、上記ほぼコの字型のふとん干し部の横枠と下枠とを、Ｘ字型の交差枠１４、１６によって結合し、上記ほぼコの字型のふとん干し部の横枠と下枠の他端部の間を開口部２０とする。【選択図】          図１
0003123985.tif 000002
【実用新案登録請求の範囲】
【請求項１】
ふとんを干すために掛ける横枠を有するふとん干し部を、複数個、開閉可能に結合したふとん干しであって、ふとん干し部を、ふとんを干すために掛ける横枠と、横枠の下方にほぼ平行に配置される下枠と、横枠と下枠の一端部を結合する縦枠により、側面形状がほぼコの字型に形成するとともに、上記ほぼコの字型のふとん干し部の横枠と下枠とを、Ｘ字型の交差枠によって結合し、上記ほぼコの字型のふとん干し部の横枠と下枠の他端部の間を開口部としたことを特徴とするふとん干し。
【請求項２】
ふとんを干すために掛ける横枠と、横枠の下方にほぼ平行に配置される下枠と、横枠と下枠の一端部を結合する縦枠、及び、その横枠と下枠とを結合するＸ字型の交差枠から成るふとん干し部は、木材によって形成され、上記の木材は、厚さよりも幅の広い材料から成る請求項１記載のふとん干し。
【請求項３】
複数個の布団干し部が、横枠がほぼ平行となる閉じた状態と、ヒンジ部を中心に他端部が開いた状態を取るように、夫々の縦枠部分において、開閉可能にヒンジ結合されている請求項１記載のふとん干し。
【考案の詳細な説明】
【技術分野】
【０００１】
本考案は、ふとんを干すために掛ける横枠を有するふとん干し部を、複数個、開閉可能に結合したふとん干しに関するものである。
【背景技術】
【０００２】
従来、ふとん干しは金属製のパイプを用いて製作されたものが普通であった。また、プラスチック製のものもあるが、これらを材料として使用する主な理由は、軽量で、丈夫であると考えられたためである。しかし、室内で使用して違和感を生じないふとんを掛ける器具という観点から、他の材料を検討すると、例えば木材を使用することが有効と考えられる。
【０００３】
例えば、特開２００５−２０５１７６号は、寝床用敷き板に関する発明であるが、傾斜姿勢の寝床用敷き板の上にふとんを載せてふとん干しとして使用できる、とも説明されている。しかし、同発明は、ほぼ同じ大きさの二枚の簀の子を連結部材により連結した構成を有しており、その簀のしは、多数枚の板材を使用しているため、寝床用敷き板としてはともかく、ふとん干しとしては重過ぎるといわざるを得ない。また、実用新案登録第３１２０２３４号のものも、上記発明と全く同じ構成である。
【０００４】
上記のような、ふとん干しとしては過剰な構造となるのは、木材は、金属ほど強くないという潜入観念が作用しているためであると考えられる。しかしながら本件の考案者は、木材も適切な構造を与えて組み合わせることにより、ふとん干しとして必要十分な構造強度を有するものを提供することができるということを確信しており、そのために試行錯誤を重ね、本考案に到達した。
【０００５】
【特許文献１】特開２００５−２０５１７６号
【特許文献２】実用新案登録第３１２０２３４号
【考案の開示】
【考案が解決しようとする課題】
【０００６】
従って、本考案の課題は、室内での使用に違和感を生じないように、木製又はそれと同程度の強度を有する材料を用いて形成することができる、軽量かつ頑丈なふとん干しを提供することである。また、本考案の他の課題は、金属やプラスチック製のふとん干しに比較して、干したふとんの間に空間を確保し、風通しを良くすることである。
【課題を解決するための手段】
【０００７】
前記の課題を解決するため、本発明は、ふとんを干すために掛ける横枠を有するふとん干し部を、複数個、開閉可能に結合したふとん干しであって、ふとん干し部を、ふとんを干すために掛ける横枠と、横枠の下方にほぼ平行に配置される下枠と、横枠と下枠の一端部を結合する縦枠により、側面形状がほぼコの字型に形成するとともに、上記ほぼコの字型のふとん干し部の横枠と下枠とを、Ｘ字型の交差枠によって結合し、上記ほぼコの字型のふとん干し部の横枠と下枠の他端部の間を開口部とする、という手段を講じたものである。
【０００８】
本発明のふとん干しは、ふとんを干すために掛ける横枠を有するふとん干し部を、複数個有する枠状のものである。横枠とは、ふとんを掛ける部分が枠であり、かつ、横方向に配置されている、ということである。そのような基本的構成を有するふとん干しについて、本考案のものは、以下のような構成を有している。
【０００９】
まず、本考案において、ふとん干し部は、ふとんを干すために掛ける横枠と、横枠の下方にほぼ平行に配置される下枠と、横枠と下枠の一端部を結合する縦枠により、側面形状がほぼコの字型に形成する。ほぼコの字型であるから、１個１個のふとん干し部は、ほぼ長方形の枠状である、といっても良い。このため、１個のふとん干し部は、前述の簀の子と比較して軽量に形成することができる。
【００１０】
そして本考案では、上記ほぼコの字型のふとん干し部の横枠と下枠とを、Ｘ字型の交差枠によって結合する。Ｘ字型の交差枠は、ほぼコの字型のふとん干し部の構造的支えであり、ぐらつきを防止するものである。そのため、交差枠の４箇所の端部は、横枠の端部近くと、下枠の端部近くに、夫々固定され、圧縮と、捩りに対向する。
【００１１】
本考案の場合、ふとん干し部がほぼコの字型であり、かつそのふとん干し部の横枠と下枠がＸ字型の交差枠によって結合されているので、ふとん干し部の横枠と下枠の他端部の間は、縦枠のない開口部となる。この開口部は、縦枠の無い分、布団を干す動作を妨げず、且つ又、縦枠の無い他端部のほうが軽量になるので、ふとん干しの移動や取り扱い、及びふとん干し作業をより容易にすることにも寄与する。コの字型という形状は、上下左右の枠でふとん干し部を形成した場合の口の字型と比較すると、ほぼ交差枠１本分だけ重くなるといって良いが、それよりも、Ｘ字型の交差枠による構造強度の著しい向上が得られることに利益がある。
【００１２】
このような、ふとんを干すために掛ける横枠と、横枠の下方にほぼ平行に配置される下枠と、横枠と下枠の一端部を結合する縦枠、及び、その横枠と下枠とを結合するＸ字型の交差枠から成るふとん干し部は、木材によって形成した場合でも十分な強度を発揮する。上記の木材は、厚さよりも幅の広い材料から成るものとすることが望ましい。この、幅広い木製材料を使用することによって、掛けたふとんの間に、それだけ広い空間を生じることになり、風通しを良くすることにもなる。
【００１３】
さらに、複数個のふとん干し部は、それらが、横枠がほぼ平行となる閉じた状態と、ヒンジ部を中心に他端部が開いた状態を取るように、夫々の縦枠部分において、開閉可能にヒンジ結合されるものとする。この構成は、金属パイプ製のふとん干しに見られるものであるが、木製枠組み構造のふとん干しでは本考案のものによって初めて実用化が可能になったものといって良い。なお、木材のほかに、本考案のふとん干しに使用可能な材料としては、合成木材、プラスチックスや軽金属の中空な引き抜き型材などがある。しかし、木材の中でも桐材を使用することにより、軽量で、違和感の生じないふとん干しを提供することができる。
【考案の効果】
【００１４】
本考案は上記のように、ふとん干し部を、ふとんを干すために掛ける横枠と、横枠の下方にほぼ平行に配置される下枠と、横枠と下枠の一端部を結合する縦枠により、側面形状がほぼコの字型に形成し、かつ、上記ほぼコの字型のふとん干し部の横枠と下枠とを、Ｘ字型の交差枠によって結合したものであるから、木製又はそれと同程度の強度を有する材料を用いて、軽量かつ頑丈なふとん干しを形成することができる、という効果を奏する。また、本考案によれば、金属やプラスチック製のふとん干しに比較して、干したふとんの間に空間を確保し、風通しを良くすることができる。
【考案を実施するための最良の形態】
【００１５】
以下図示の実施形態を参照して、本考案に係るふとん干し１０について、より詳細に説明する。図１は、本考案に係るふとん干し１０の全体を示す斜視図であり、ふとんを干すために掛ける横枠１１を有するふとん干し部１５を、３個、開閉可能に結合した構成を有している。
【００１６】
個々のふとん干し部１５は、図３に示したように、ふとんを干すために掛ける上記横枠１１と、横枠１１の下方にほぼ平行に配置されている下枠１２と、横枠１１と下枠１２の一端部を結合する縦枠１３により、側面形状がほぼコの字型に形成する。ほぼコの字型である１個１個のふとん干し部１５の横枠１１と下枠１２とは、Ｘ字型の交差枠１４、１６によって結合されている。
【００１７】
図示の例において、ふとん干し部１５は、木材によって形成され、上記の木材は、厚さ３０ミリに対して幅４４ミリと、厚さよりも約５０パーセント幅の広い材料から成る。上記の寸法は単なる１例に過ぎないが、ヒノキの無垢材を用いた場合の例としての意義を有する。従って、他の木材を使用する場合には、概ね上記の寸法、及び縦横の比率を参考にすることができる。この幅４４ミリという寸法は、ステンレスパイプ製のふとん干しに使われているものの径が約２０〜３０ミリであるから、約２倍の広い空間を生じることになり、風通しを良くするために大きく寄与する。
【００１８】
そして、ふとん干し部１５の各枠材は、夫々の接合部にて、確実に位置関係が出るように加工した上で、接合されている。即ち、縦枠１３の上下端部には、ホゾ部１７ａ、１７ｂが切ってあり、夫々横枠１１と下枠１２の一端部を嵌め合わせた上で、ホゾ側から木ネジを接合具１９に用いて、接合されている。なお、接合具１９はボルトでも勿論良いし、
それと接着剤を併用することもある。
【００１９】
また、交差枠１４、１６の４箇所の端部は、横枠１１の端部近くと、下枠１２の端部近くに、夫々固定され、圧縮と、捩りに対向する。そのため、交差枠１４、１６は、所定の角度で交差するように、互いの交差部に夫々ホゾ部１８ａ、１８ｂを切り、かつ、交差枠１４、１６の端部を所定の角度に切断加工し、夫々木ネジを接合具１９に用いて接合している。かくしてふとん干し部１５の横枠１１と下枠１２の他端部の間は、縦枠のない開口部２０となる。
【００２０】
上記のふとん干し部１５は、さらに、３個のものが、横枠１１がほぼ平行となる閉じた状態と、ヒンジ部２１を中心に他端部が開いた状態を取るように、夫々の縦枠１３の外側の上下部分において、開閉可能にヒンジ結合されている。図中、２２はパッド取り付け用のしゃくり部であり、床を保護し室内における使用を可能にしている。また、横枠１１の先端部など、要所には面取り部２３を設けている。
【００２１】
このような構成を有する本考案の場合、図５に示すように、３個のふとん干し部１５を任意の角度に開いてふとん干し１０を自立配置させた後、ふとんＦを横枠１１に掛けて干すものである。その際、ふとん干し部１５は先端に縦枠を有していないので手元に荷重が掛かるものの、先端は軽いため、安定性の良い取り扱いが可能であり、また、ふとんＦを干す手が縦枠に触れないため、干す動作を円滑に行えるようになる。そして、全ての構成枠材１１、１２、１３、１４、１６が、厚さよりも幅の広い材料から成るので、掛けたふとんＦの間に十分に空間を確保でき、効果的なふとん干しが行なえる。
【図面の簡単な説明】
【００２２】
【図１】本考案に係るふとん干しの一例を示す正面側の斜視図。
【図２】図１と同じものの背面側の斜視図。
【図３】本考案に係るふとん干しを構成するふとん干し部単体の正面図。
【図４】図３のＩＶ−ＩＶ線断面図。
【図５】本考案に係るふとん干しの使用状態を示す説明図。
【符号の説明】
【００２３】
１０  ふとん干し
１１  横枠
１２  下枠
１３  縦枠
１４、１６  交差枠
１５  ふとん干し部
１７ａ、１７ｂ、１８ａ、１８ｂ  ホゾ部
１９  接合具
２０  開口部
２１  ヒンジ部
２２  パッド取り付け用のしゃくり部
２３  面取り部
【図１】
0003123985.tif 000003
【図２】
0003123985.tif 000004
【図３】
0003123985.tif 000005
【図４】
0003123985.tif 000006
【図５】
0003123985.tif 000007